(57)【要約】【課題】撮影した画像を外部装置に転送する際のユーザーの手間を軽減する。【解決手段】外部装置と通信を行う通信部と、被写体を撮影する撮影部と、記録媒体にデータを記録する記録部と、前記通信部が前記外部装置と通信可能である場合に送信モードとして動作し、前記通信部が前記外部装置と通信可能でない場合に保存モードとして動作する処理部と、を備える。前記処理部は、前記送信モードにおいては、ユーザーの一操作がなされた場合に前記撮影部に撮影させ、生成された撮影データを、前記通信部を介して前記外部装置に送信し、前記保存モードにおいては、前記ユーザーの一操作がなされた場合に前記撮影部に撮影させ、生成された撮影データを前記記録部に記録させる。【選択図】図１
2016116190.tif 000002
【特許請求の範囲】
【請求項１】
外部装置と通信を行う通信部と、
被写体を撮影する撮影部と、
記録媒体にデータを記録する記録部と、
前記通信部が前記外部装置と通信可能である場合に送信モードとして動作し、前記通信部が前記外部装置と通信可能でない場合に保存モードとして動作する処理部と、を備え、
前記処理部は、
前記送信モードにおいては、ユーザーの一操作がなされた場合に前記撮影部に撮影させ、生成された撮影データを、前記通信部を介して前記外部装置に送信し、
前記保存モードにおいては、前記ユーザーの一操作がなされた場合に前記撮影部に撮影させ、生成された撮影データを前記記録部に記録させる、
撮影装置。
【請求項２】
タッチパネルを備え、
前記処理部は、前記送信モードと前記保存モードとでは異なるアイコンをタッチパネルに表示させ、
前記送信モードにおける前記一操作は前記送信モードにおけるアイコンに対するタッチ操作であり、前記保存モードにおける前記一操作は前記保存モードにおけるアイコンに対するタッチ操作である、
請求項１に記載の撮影装置。
【請求項３】
前記処理部は、
前記通信部が前記外部装置と通信可能であり、前記被写体がホワイトボードである場合には、前記送信モードとして動作し、
前記通信部が前記外部装置と通信可能であっても、前記被写体が前記ホワイトボードでない場合には、前記保存モードとして動作する、
請求項１または請求項２に記載の撮影装置。
【請求項４】
前記処理部は、
前記保存モードにおいては、前記撮影データに第一画像処理を施して前記記録部に記録させ、
前記送信モードにおいては、前記第一画像処理を施さずに前記撮影データを前記通信部に送信させるか、または、前記第一画像処理よりも処理量の少ない第二画像処理を前記撮影データに施して前記送信部に送信させる、
請求項１〜請求項３のいずれかに記載の撮影装置。
【請求項５】
請求項１〜請求項４のいずれかに記載の撮影装置と、
前記外部装置としての印刷装置と、
を備え、
前記印刷装置は、
前記撮影装置から前記撮影データを取得する通信部と、
前記撮影データに基づいて印刷を行う印刷部と、
取得した前記撮影データに、前記撮影装置との間で分担した画像処理を施し、処理後の前記撮影データに基づいて前記印刷部に印刷を実行させる制御部と、
を備える印刷システム。
【発明の詳細な説明】
【技術分野】
【０００１】
本発明は、撮影装置および印刷システムに関する。
【背景技術】
【０００２】
従来、ホワイトボード等の書き込みボードに記入された文字や図等を読み取り、印刷装置に印刷させるシステムが知られている（例えば特許文献１）。
【先行技術文献】
【特許文献】
【０００３】
【特許文献１】特開２００３−１７７８８１号公報
【発明の概要】
【発明が解決しようとする課題】
【０００４】
しかし例えば、撮影装置で書き込みボードを撮影し、撮影した画像データを印刷装置に転送して印刷させる場合、従来は撮影操作の後、撮影した画像を撮影装置のメモリーに記録された画像データ一覧から選択する操作、プリンターを選択する操作、印刷を指示する操作等、複数の手順を踏む必要であった。
本発明は、撮影した画像を外部装置に転送する際のユーザーの手間を軽減することを目的とする。
【課題を解決するための手段】
【０００５】
上記目的を達成するための撮影装置は、外部装置と通信を行う通信部と、被写体を撮影する撮影部と、記録媒体にデータを記録する記録部と、処理部と、を備える。処理部は、前記通信部が前記外部装置と通信可能である場合に送信モードとして動作し、前記通信部が前記外部装置と通信可能でない場合に保存モードとして動作する。処理部は、前記送信モードにおいては、ユーザーの一操作がなされた場合に前記撮影部に撮影させ、生成された撮影データを、前記通信部を介して前記外部装置に送信し、前記保存モードにおいては、前記ユーザーの一操作に応じて前記撮影部に撮影させ、生成された撮影データを前記記録部に記録させる。
【０００６】
上記構成を採用することにより本発明の撮影装置は、外部装置と通信可能である場合にユーザーの一操作で撮影および外部装置への撮影データの送信を実行できる。被写体の撮影から外部装置への送信までの間に複数の手順を要した従来の構成と比較すると、本発明の撮影装置はユーザーの手間を軽減できる。
【０００７】
なお、送信モードにおけるユーザーの一操作と保存モードにおけるユーザーの一操作は撮影装置の同じ操作対象に対する同じ操作であってもよいし、撮影装置の異なる操作対象に対する操作であってもよい。また、ユーザーの一操作がなされた場合に撮影部に撮影させることは、ユーザーの一操作が直接の起点として撮影が行われることに限定されず、ユーザーの一操作の後に撮影対象とする被写体が画角内に含まれることが撮影装置によって検出された場合に撮影が行われることも含まれる。
【０００８】
なお、ユーザーの一操作がなされた場合に撮影部が行う撮影は、本撮影用の撮影を意味するのであって、ライブビュー表示用の撮影を意味するのではない。ただし、本撮影用の撮影データがライブビュー表示用の撮影データの一部に基づいて生成される態様の場合は、本撮影用の撮影データを生成するために用いるフレームの撮影データの撮影が、ユーザーの一操作がなされた場合に撮影部が行う撮影に相当する。
【０００９】
さらに、上記目的を達成するための撮影装置は、タッチパネルを備えてもよい。その場合に前記処理部は、前記送信モードと前記保存モードとでは異なるアイコンをタッチパネルに表示させてもよい。そして、前記送信モードにおける前記一操作は前記送信モードにおけるアイコンに対するタッチ操作であり、前記保存モードにおける前記一操作は前記保存モードにおけるアイコンに対するタッチ操作であってもよい。
【００１０】
この構成の場合、送信モード時にはタッチパネルに保存モード時とは異なるアイコンを表示させるため、送信モードであること（当該アイコンに対する一度のタッチ操作で撮影と外部装置への転送ができること）をユーザーに認識させることができる。なお、例えば撮影装置がタッチパネル上の仮想的なボタンでなく専用の撮影ボタンを備える場合、保存モードにおいて撮影のためのアイコンを必ずしもタッチパネルに表示させなくてもよい。
【００１１】
さらに、上記目的を達成するための撮影装置において、前記処理部は、前記通信部が前記外部装置と通信可能であり、前記被写体がホワイトボードである場合には、前記送信モードとして動作し、前記通信部が前記外部装置と通信可能であっても、前記被写体が前記ホワイトボードでない場合には、前記保存モードとして動作してもよい。
すなわち上記構成を備える撮影装置は、被写体がホワイトボードであって、外部装置と通信可能である場合に、ユーザーの一操作で撮影と撮影データの外部装置への送信を実行可能できる。
【００１２】
なお、被写体がホワイトボードであることを判定する手法は、本撮影前のライブビュー用の撮影データを画像解析することにより被写体にホワイトボードが含まれることを特定することや、例えばホワイトボードに設けられた通信装置との通信によって被写体がホワイトボードであることを撮影装置が特定すること等様々な態様を想定できる。画像解析による判定は、例えば、撮影データに含まれるホワイトボードの形状や色彩に基づいて判定する方法や、撮影データに含まれる特定のコード（マーク、図形、文字列等）に基づいて判定する方法等が想定可能である。なお、当該コードは例えばホワイトボードの書き込み面に印字されていてもよいし、プロジェクター等によって投影されていてもよいし、シールとして貼付されていてもよい。
【００１３】
なお、撮影装置が撮影後に撮影データを外部装置に送信することが想定される被写体であればホワイトボードに限定されない。ホワイトボードの撮影データが送信される外部装置としては、画像出力装置（例えば印刷装置やプロジェクター等）、撮影データを記録媒体に保存することができる情報処理装置、撮影データをさらに他の装置に転送する通信装置等が想定される。したがって被写体としては、ホワイトボードや黒板などの書き込みボードや、プロジェクターに投影された画像を反射するスクリーンや、画像表示装置等の他にも様々な態様が考えられる。例えば、被写体としては、スナップ写真や証明写真を撮影するシーンにおける人物であってもよいし、紙に印刷された文書であってもよい。写真や文書をユーザーの一操作で撮影し印刷できる構成はユーザーにとって便利である。
【００１４】
さらに、上記目的を達成するための撮影装置において、前記処理部は、前記保存モードにおいては、前記撮影データに第一画像処理を施して前記記録部に記録させ、前記送信モードにおいては、前記第一画像処理を施さずに前記撮影データを前記通信部に送信させるか、または、前記第一画像処理よりも処理量の少ない第二画像処理を前記撮影データに施して前記送信部に送信させてもよい。
【００１５】
通信切断等のトラブルを避けるために撮影から送信完了までに要する時間をできるだけ短縮できることが望ましい。そのため上記構成を採用することにより、送信モードにおいては保存モードにおいて保存される撮影データよりも早く送信のための撮影データを生成することができ、早く撮影データを外部装置に送信し始めることができる。
【００１６】
さらに、上記目的を達成するための印刷システムは、上記のような構成を備える撮影装置と、外部装置としての印刷装置と、を備える。印刷装置は、前記撮影装置から前記撮影データを取得する通信部と、前記撮影データに基づいて印刷を行う印刷部と、取得した前記撮影データに、前記撮影装置との間で分担した画像処理を施し、処理後の前記撮影データに基づいて前記印刷部に印刷を実行させる制御部と、を備える。
この構成の場合、撮影後に撮影装置においては行わないが印刷前に施すことが望ましい画像処理を印刷装置において施すことができる。
【００１７】
また請求項に記載された各部の機能は、構成自体で機能が特定されるハードウェア資源、プログラムにより機能が特定されるハードウェア資源、又はそれらの組み合わせにより実現される。また、これら各部の機能は、各々が物理的に互いに独立したハードウェア資源で実現されるものに限定されない。
【図面の簡単な説明】
【００１８】
【図１】印刷システムのブロック図。
【図２】（２Ａ）は撮影処理を示すフローチャート、（２Ｂ）は印刷処理を示すフローチャート。
【図３】（３Ａ）は被写体を示す模式図、（３Ｂ）は送信モードにおける表示例を示す模式図、（３Ｃ）は保存モードにおける表示例を示す模式図。
【発明を実施するための形態】
【００１９】
以下、本発明の実施の形態を添付図面を参照しながら以下の順に説明する。尚、各図において対応する構成要素には同一の符号が付され、重複する説明は省略される。
１．第一実施形態：
１−１．構成：
図１Ａは、本発明の実施形態にかかる印刷システム１００の構成を示すブロック図である。印刷システム１００は、撮影装置としてのデジタルカメラ（以降、カメラという）１と印刷装置としてのプリンター２とを備える。カメラ１は、制御部１０と撮影部１１と外部メモリーＩ／Ｆ部１２とユーザーＩ／Ｆ部１３と通信Ｉ／Ｆ部１４とを備える。制御部１０は、ＣＰＵ，ＲＡＭ，ＲＯＭ，不揮発性メモリー等を備え、ＲＯＭや不揮発性メモリーに記録されている各種プログラムをＣＰＵがＲＡＭ等を用いて実行することによってカメラ１の各部を制御する。各種プログラムには後述する撮影処理プログラムが含まれる。なお制御部１０は「処理部」として機能する。
【００２０】
撮影部１１は、光学系、エリアイメージセンサー、ＡＳＩＣ、ＶＲＡＭ（いずれも不図示）等を備える。ＡＳＩＣが制御部１０の制御に従って光学系やエリアイメージセンサーを制御し、被写体の像を示す撮影データを生成する。外部メモリーＩ／Ｆ部１２は、制御部１０の制御にしたがって、カメラ１に装着されたリムーバブルメモリー４に対して撮影データを含む各種データの読み書きを実行する。外部メモリーＩ／Ｆ部１２は、制御部１０とともに「記録部」として機能する。
【００２１】
ユーザーＩ／Ｆ部１３は、タッチパネル１３ａや図示しないキーを備え、タッチパネル１３ａやキーに対して行われたユーザーの操作を検知して制御部１０に通知するとともに、タッチパネル１３ａに制御部１０の制御にしたがって各種の画像や文字を表示させる。通信Ｉ／Ｆ部１４は、制御部１０の指示に応じて外部装置にデータを送信するために、通信プロトコルに基づく送信データの変換や伝送路への信号の送出を行う。また、外部装置から送信された信号を受信し通信プロトコルに基づいて受信データを取得し制御部１０に通知する。通信Ｉ／Ｆ部１４は制御部１０とともに「通信部」として機能する。
【００２２】
プリンター２は、制御部２０とユーザーＩ／Ｆ部２１と通信Ｉ／Ｆ部２２と印刷部２３とを備える。制御部２０はＣＰＵ，ＲＡＭ，ＲＯＭ，不揮発性メモリー等を備え、ＣＰＵがＲＯＭや不揮発性メモリーに記録された後述する印刷処理プログラム等の各種プログラムをＲＡＭを用いて実行することができる。通信Ｉ／Ｆ部２２は、プリンター２の外部の装置と通信を行うために、通信プロトコルに基づく送受信データの変換や信号の送受信を行う。ユーザーＩ／Ｆ部２１は、図示しないタッチパネルやキー等を備え、タッチパネルやキーに対して行われたユーザーの操作を検知し制御部２０に通知するとともに、制御部２０の指示に応じて各種情報をタッチパネルに表示させる。
【００２３】
１−２：撮影および印刷：
図２Ａはカメラ１で実行される撮影処理を示すフローチャートである。カメラ１の動作モードには撮影モードと再生モードとが含まれる。撮影モードには、複数のシーン別撮影モード（例えば夜景撮影モードやポートレート撮影モード等）が存在し、当該複数のシーン別撮影モードの一つとしてホワイトボード撮影モードが含まれる。本実施形態において図２Ａに示す撮影処理は、動作モードが撮影モードであって、シーン別撮影モードとしてホワイトボード撮影モードがユーザーによって選択された際に開始される。なお本実施形態においては、図２Ａの撮影処理におけるステップＳ１２５またはＳ１４０が終了した後は、他のシーン別撮影モードに切り替わる等ホワイトボード撮影モードの選択が解除となるまでホワイトボード撮影モードが継続する。
【００２４】
まず制御部１０は、ライブビュー撮影を行い（ステップＳ１００）、ライブビュー用に撮影された画像にホワイトボードを示すＷＢマークが含まれるか否かを判定する（ステップＳ１０５）。ＷＢマークは、カメラ１が被写体にホワイトボードが含まれていることを認識させるためのマークであり、本実施形態においては２次元コードとして実現される。本実施形態においては図３Ａに示すようにホワイトボード３の記入面にＷＢマーク３０が印刷されたシールが貼付されている。もちろん、ホワイトボード３にＷＢマーク３０が直接印字されていてもよい。制御部１０は２次元コードを解析してＷＢマークであるか否かを判定する。
【００２５】
ステップＳ１０５においてＷＢマークが含まれると判定された場合、制御部１０は周囲に通信可能なプリンターが存在するか否かを判定する（ステップＳ１１０）。通信可能なプリンターとは、本実施形態においてはホワイトボードの画像を含む撮影データをカメラ１との通信によって受信し、受信した撮影データに基づいてユーザーの新たな指示なしに自動的に印刷するホワイトボード印刷機能を有するプリンターである。カメラ１とプリンターとの通信方式としては例えば、Wi-Fi（登録商標）、Wi-Fi Direct（登録商標）、Bluetooth（登録商標）等の無線通信が想定可能であるが、その他の通信方式が採用されてももちろんよい。カメラ１とプリンター２との接続設定シーケンスは図２Ａに示す撮影処理とは別に予め行われていてもよいし、ステップＳ１１０の直前にカメラ１とプリンター２との間で接続設定シーケンスが実行されてもよい。なお例えば、接続設定シーケンスにおいて、カメラ１の制御部１０はシーケンスの相手であるプリンターからプリンターの性能や型番や対応機能等の情報を取得し、取得した情報に基づいて当該プリンターがホワイトボード印刷機能を有するか否かを判定し、ホワイトボード印刷機能を有する場合に制御部１０は当該プリンターを通信可能なプリンターと判定する。
【００２６】
ステップＳ１１０において周囲に通信可能なプリンターが存在すると判定された場合、制御部１０はタッチパネル１３ａに印刷アイコンを表示させる（ステップＳ１１５）。図３Ｂは、印刷アイコン１３ａ１の表示例を示す模式図である。制御部１０は、所定のフレームレートで撮影しタッチパネル１３ａにプレビュー画像を表示させる。また制御部１０は、印刷アイコン１３ａ１を当該プレビュー画像に重畳して表示させる。印刷アイコン１３ａ１には、印刷指示操作の操作対象であることを示す文字、あるいは、印刷を連想させる図柄が表示される。図３Ｂの例では「印刷」の文字が表示されている。また、本実施形態においては、印刷先となるプリンターの名称も印刷アイコン１３ａ１内に表示される。制御部１０は印刷アイコン１３ａ１を表示したタッチパネル１３ａにおける領域を、印刷指示を入力するためのタッチ操作受付領域として設定する。
【００２７】
続いて制御部１０は、印刷アイコン１３ａ１にタッチされたか否かを判定し（ステップＳ１２０）、タッチされた場合に制御部１０は本撮影を行い、後述する第一画像処理よりも処理量の少ない第二画像処理を施した撮影データをプリンター２へ送信する（ステップＳ１２５）。具体的には制御部１０は、ユーザーのタッチ位置を検出し、当該タッチ位置が印刷アイコン１３ａ１の表示領域（印刷指示を入力するためのタッチ操作受付領域）に重なる場合に印刷アイコン１３ａ１がタッチされたと制御部１０は判断する。なお第二画像処理について詳細は後述する。ステップＳ１２０においてタッチされたと判定されなかった場合、制御部１０はステップＳ１００からの上述の処理を繰り返す。なお、ステップＳ１０５およびステップＳ１１０においてＮ判定となった場合、制御部１０はタッチパネル１３ａに撮影アイコンを表示させる（ステップＳ１３０）。
【００２８】
図３Ｃは、撮影アイコン１３ａ２の表示例を示す模式図である。制御部１０は、ライブビュー画像に重畳させて撮影アイコン１３ａ２をタッチパネル１３ａに表示させる。撮影アイコン１３ａ２には撮影指示操作の操作対象であることを示す文字または図柄が表示される。図３Ｃの例では「撮影」の文字が表示されている。制御部１０は、撮影アイコン１３ａ２がタッチされたか否かを判定し（ステップＳ１３５）、撮影アイコン１３ａ２がタッチされた場合は、本撮影し第一画像処理を施した撮影データをリムーバブルメモリーに記録する（ステップＳ１４０）。なお、ステップＳ１３５において撮影アイコン１３ａ２がタッチされたと判定されなかった場合、制御部１０はステップＳ１００からの上述の処理を繰り返す。
【００２９】
上述したように、ホワイトボード撮影モードにおいては、２つのホワイトボード撮影動作が行われる。すなわち、ＷＢマーク３０が被写体に含まれていることを検出し、かつ、周囲に通信可能なプリンターが存在する場合、制御部１０はプリンターに撮影データを送信する（送信モード）。また、ＷＢマーク３０が被写体に含まれていないか、または、周囲に通信可能なプリンターが存在しない場合、制御部１０はリムーバブルメモリー４に撮影データを保存する（記録モード）。送信モードで撮影データに施される第二画像処理は、記録モードにおいて撮影データに施される第一画像処理よりも処理量が少ない。撮影後に送信までに要する処理時間をなるべく短くすることで、通信トラブルのためにカメラ１からプリンター２に撮影データが送信できなくなる可能性を低減できる。
【００３０】
本実施形態において第二画像処理は第一画像処理の一部であり、残りの処理は、送信先のプリンター２で行われる。図２Ｂはプリンター２で実行される印刷処理を示すフローチャートである。この印刷処理は、図２Ａに示す撮影処理のステップＳ１２５が実行された場合に開始される。プリンター２の制御部２０は、撮影データを受信する（ステップＳ２００）と、受信した撮影データに画像処理を施し（ステップＳ２０５）、画像処理後の撮影データに基づいて印刷部２３に印刷を実行させる（ステップＳ２１０）。ステップＳ２０５で上述の残りの画像処理が行われる。なお、ステップＳ１２５においてカメラ１からは、例えばプリンター２側に実行を依頼する残りの画像処理を示す情報が撮影データとともに送信される。プリンター２の制御部２０は当該情報に基づいて受信した撮影データにカメラ１に依頼された残りの画像処理を施して印刷を実行する。
【００３１】
なお、第一画像処理は、エリアイメージセンサーからの出力データに基づいてリムーバブルメモリー４に保存するための画像を生成する一般的な画像処理と、ホワイトボード撮影時に施すことが望ましい画像処理とが含まれる。例えば、画素補間処理、色再現処理、フィルター処理（ノイズ除去やシャープネス補正）、ガンマ補正処理、ホワイトボードの枠内抽出処理、ホワイトボード枠内の台形補正処理が含まれる。そして、台形補正処理後の撮影データは圧縮されリムーバブルメモリー４に保存される。本実施形態において第二画像処理には例えば、画素補間処理、色再現処理、フィルター処理が含まれ、フィルター処理後の撮影データが圧縮されてプリンター２に送信される。そして残りの画像処理であるガンマ補正処理や枠内抽出処理や台形補正処理を含む画像処理をプリンター２側が実行し、処理後の撮影データに基づいて印刷データを生成し、印刷データに基づいて印刷部２３を駆動し印刷を実行させる。なお、この処理分担はあくまで一例であって適宜調整してよい。
【００３２】
なお、第二画像処理は、第一画像処理と同じ意図の処理であって計算量の少ない処理であってもよい。例えば第二画像処理に含まれる画素補間処理において第一画像処理に含まれる画素補間処理よりも多く間引きをすることによって計算量を少なくしてもよい。また例えば、フィルター処理のフィルターの半径を小さくすること等によって計算量を少なくしてもよい。なお、第二画像処理は、第一画像処理の一部の処理と第一画像処理には含まれない別の処理とで構成されてもよいし、第二画像処理は第一画像処理に含まれない別の処理であってもよい。また、カメラ１では画像処理を施さず、例えばＲＡＷデータを圧縮してプリンター２に送信し、プリンター２側で画素補間処理を含む上述の一連の画像処理を実行し、印刷を行うようにしてもよい。
【００３３】
このように、本実施形態によると、被写体がホワイトボードであって周囲に通信可能なプリンターが存在する場合、ユーザーはタッチパネル１３ａ上の印刷アイコン１３ａ１をタッチするという一操作を行うことで、ホワイトボードの撮影とプリンターへの撮影データの送信およびプリンターに対する印刷指示を行うことができ、便利である。また、送信モードと保存モードとでタッチパネル１３ａにそれぞれの動作を示す異なるアイコンを表示させることで、ユーザーに当該アイコンにタッチした場合の動作の違いを認識させることができる。
【００３４】
２．他の実施形態：
尚、本発明の技術的範囲は、上述した実施例に限定されるものではなく、本発明の要旨を逸脱しない範囲内において種々変更を加え得ることは勿論である。例えば、送信モードにおいては、外部装置への撮影データの送信と撮影装置の記録媒体への記録とが両方行われても良い。
【００３５】
上記実施形態では、撮影装置がタッチパネルを備える構成を例に挙げたが、必ずしもタッチパネルを備えていなくても良いし、タッチパネルを備えていてもタッチパネル上のアイコンを「一操作」の操作対象としなくてもよい。その場合、ユーザーの「一操作」は、既存の機械式の操作部に対して行われることになるが、送信モードと保存モードとで撮影装置の表示部に異なるＧＵＩを表示させることでユーザーに送信モードと保存モードの動作の違いを認識させることができる。
【００３６】
また、上記実施形態ではＷＢマーク３０によって被写体にホワイトボードが含まれることを特定する例を挙げたが、特別な図形やマークや文字列がホワイトボードに表示されていなくてもよい。例えばホワイトボードそのものの形状や色の特徴（矩形で白色）から被写体にホワイトボードが含まれていることを制御部は判断してもよい。また、例えばホワイトボードがＮＦＣ（Near field communication）タグを備えており当該ＮＦＣタグにホワイトボードであることを示す情報が含まれている場合であって、撮影装置側がＮＦＣリーダー機能を備えている場合には、ＮＦＣタグとの通信によって撮影装置はホワイトボードを撮影することを認識する構成であってもよい。
【００３７】
さらに、撮影装置の周囲に通信可能な外部装置が存在するか否かは、外部装置からのプッシュ型の情報提供（例えば、外部装置がiBeacon（登録商標）発信端末を備えている）に含まれる情報に基づいて撮影装置によって判定されてもよい。
【００３８】
さらに、上記実施形態においては、送信モードにおいて行われる第二画像処理は保存モードにおいて行われる第一画像処理よりも処理量が少ないか、または、送信モードにおいては画像処理を施さずに外部装置に送信されてもよいことを説明したが、送信モードと保存モードとで撮影装置にて行われる処理は同じであってもよい。そして、送信モードにおいてのみ、撮影データ受信後の外部装置が撮影データに対し追加の画像処理を施して印刷を行う構成であってもよい。
【００３９】
また、上記実施形態においては、複数のシーン別撮影モードの一つとしてのホワイトボード撮影モードが選択された場合に図２Ａの撮影処理が実行される例を説明したが、ホワイトボード撮影モードがシーン別撮影モードに含まれていなくてもよい。すなわち、カメラ１の動作モードが撮影モードであればシーン別撮影モードがどのモードであったとしても図２Ａの撮影処理が行われてもよい。
また、上記実施形態では撮影装置としてカメラを挙げたが、撮影機能を備えたスマートフォン等のタブレット端末にも本発明を適用可能である。
【符号の説明】
【００４０】
１…カメラ、２…プリンター、３…ホワイトボード、４…リムーバブルメモリー、１０…制御部、１１…撮影部、１２…外部メモリーＩ／Ｆ部、１３…ユーザーＩ／Ｆ部、１３ａ…タッチパネル、１３ａ１…印刷アイコン、１３ａ２…撮影アイコン、１４…通信Ｉ／Ｆ部、２０…制御部、２１…ユーザーＩ／Ｆ部、２２…通信Ｉ／Ｆ部、２３…印刷部、３０…ＷＢマーク、１００…印刷システム
【図１】
2016116190.tif 000003
【図２】
2016116190.tif 000004
【図３】
2016116190.tif 000005